(57)【要約】【課題】打抜き型で打抜く領域を変更するだけで、長さの異なるチップオンフィルムや、端子数の異なるチップオンフィルムが得られるように改良したＣＯＦテープを提供する。【解決手段】テープ基材１に多数のＩＣチップ２を一定間隔をあけて搭載し、各ＩＣチップ２の前側と後側に入力端子列と出力端子列４０を形成して導電パターン５で配線することにより、チップオンフィルムの構成単位Ａが前後方向に連続して形成されたＣＯＦテープにおいて、上記入力端子列を横二列の入力端子列３１，３２に形成する。双方の入力端子列３１，３２の端子数を異ならせるのがよい。打抜き領域に横二列の入力端子列３０，３１を含めるか、ＩＣチップ２に近い方の入力端子列３１だけを含めるかによって、長さと入力端子数の異なるチップオンフィルムを得ることができる。【選択図】図４
2009289844.tif 000002
【特許請求の範囲】
【請求項１】
テープ基材に多数のＩＣチップを一定間隔をあけて搭載し、各ＩＣチップの前側と後側に入力端子列と出力端子列を形成して導電パターンで配線することにより、チップオンフィルムの構成単位が前後方向に連続して形成されたＣＯＦテープにおいて、上記入力端子列が横二列に形成されていることを特徴とするＣＯＦテープ。
【請求項２】
横二列に形成された双方の入力端子列の端子数が異なっていることを特徴とする請求項１に記載のＣＯＦテープ。
【請求項３】
横二列に形成された入力端子列のうち、ＩＣチップに近い方の入力端子列の端子数が、ＩＣチップから遠い方の入力端子列の端子数よりも多いことを特徴とする請求項２に記載のＣＯＦテープ。
【請求項４】
更に出力端子列も横二列に形成されていることを特徴とする請求項１に記載のＣＯＦテープ。
【請求項５】
横二列に形成された出力端子列のうち、ＩＣチップに近い方の出力端子列の端子数が、ＩＣチップから遠い方の出力端子列の端子数よりも多いことを特徴とする請求項４に記載のＣＯＦテープ。
【発明の詳細な説明】
【技術分野】
【０００１】
本発明はＣＯＦ（チップオンフィルム）テープに関し、特に、チップオンフィルムの構成単位を打抜き型で打ち抜く領域を変更するだけで、長さの異なるチップオンフィルムや、端子数の異なるチップオンフィルムが得られるように改良したＣＯＦテープに関する。
【背景技術】
【０００２】
周知のように、液晶テレビの液晶パネル（液晶セル）とＸ側及びＹ側の配線基板は、ソースドライバＩＣチップやゲートドライバＩＣチップを搭載したチップオンフィルムで接続されている。かかるチップオンフィルムは、テープ基材に多数のＩＣチップを一定間隔をあけて搭載すると共に、各ＩＣチップの前側と後側に入力端子列と出力端子列を形成して導電パターンで配線することにより、チップオンフィルムの構成単位が前後方向に連続して形成されたＣＯＦテープから、打抜き型で構成単位ごとに打抜いて得られるものである。
【０００３】
尚、チップオンフィルムに関連する先行技術としては、配線パターンを屈曲点で段階的に縮幅したもの（特許文献１）や、直接の関係はないけれども、補強シートの舌部分と本体部分との境界線に沿ってカットラインを設けたフレキシブル配線基板（特許文献２）や、基板に対してＣＯＦ実装部品を正確に位置合わせできるようにした液晶表示装置（特許文献３）などが見られる。
【特許文献１】特開２００６−１００６６４号公報
【特許文献２】特開２００５−２７７１１１号公報
【特許文献３】特開２００７−１２３３４４号公報
【発明の開示】
【発明が解決しようとする課題】
【０００４】
ところで、液晶テレビの設計コンセプト変更などによって、例えば液晶パネルの電極とＸ側及びＹ側の配線基板の電極との距離が変わると、それに応じてチップオンフィルムも長さ（前後方向の長さ）の異なるものに変更する必要があり、また、ビット数の異なる液晶テレビに対しては、端子数の異なるチップオンフィルムを使用することが必要になる。そのような場合、従来のチップオンフィルムは、長さも端子数も変更できないので、新たに設計して、対応したチップオンフィルムの構成単位が連続するＣＯＦテープを造り直し、これを打抜いて得られる新たなチップオンフィルムを使用しなければならなかった。けれども、新たに設計してＣＯＦテープを造るには、かなりの時間と多額の費用を要するため、これが短納期及びコスト削減を妨げる大きな原因となっていた。
【０００５】
本発明は上記事情の下になされたもので、その解決しようとする課題は、打抜き型で打ち抜く領域を変更するだけで、長さの異なるチップオンフィルムや、端子数の異なるチップオンフィルムが得られるように改良したＣＯＦテープを提供することにある。
【課題を解決するための手段】
【０００６】
上記課題を解決するため、本発明に係るＣＯＦテープは、テープ基材に多数のＩＣチップを一定間隔をあけて搭載し、各ＩＣチップの前側と後側に入力端子列と出力端子列を形成して導電パターンで配線することにより、チップオンフィルムの構成単位が前後方向に連続して形成されたＣＯＦテープにおいて、上記入力端子列が横二列に形成されていることを特徴とするものである。
【０００７】
本発明のＣＯＦテープにおいては、横二列に形成された双方の入力端子列の端子数が異なっているのがよく、特に、横二列に形成された入力端子列のうち、ＩＣチップに近い方の入力端子列の端子数が、ＩＣチップから遠い方の入力端子列の端子数よりも多いことが好ましい。
【０００８】
更に、本発明のＣＯＦテープにおいては、出力端子列も横二列に形成されていることが好ましく、このように横二列に形成された出力端子列のうち、ＩＣチップに近い方の出力端子列の端子数が、ＩＣチップから遠い方の出力端子列の端子数よりも多いことが一層好ましい。
【発明の効果】
【０００９】
本発明のＣＯＦテープのように、チップオンフィルムの構成単位において入力端子列が横二列に形成されていると、この横二列の入力端子列とＩＣチップと出力端子列が打抜き領域に含まれるように打抜けば、長さ（前後方向の長さ）が大きいチップオンフィルムを得ることができ、横二列の入力端子列のうちＩＣチップに近い方の入力端子列とＩＣチップと出力端子列が打抜き領域に含まれるように打抜けば、同じ入力端子列を持った長さが短いチップオンフィルムを得ることができる。従って、液晶パネルの電極とＸ側及びＹ側の配線基板の電極との距離が変わっても、上記の長さが異なるいずれか一方のチップオンフィルムを選択使用して対処することが可能となる。このように打抜き型を変更して打抜き領域を変更する場合は、打抜き型の変更が簡単かつ安価であるため、従来のように新たに設計してＣＯＦテープを造り直す場合に比べて対応が遥かに容易であり、短納期及びコスト削減を達成することができる。
【００１０】
また、本発明のＣＯＦテープにおいて、横二列に形成された双方の入力端子列の端子数が異なっているものは、上記のように、横二列の双方の入力端子列が打抜き領域に含まれるように打抜けば、ＩＣチップから遠い方の入力端子列の端子数を有するチップオンフィルムを得ることができ、横二列の入力端子列のうちＩＣチップに近い方の入力端子列のみが打抜き領域に含まれるよう打抜いて遠い方の入力端子列を排除すれば、ＩＣチップに近い方の入力端子列の端子数を有するチップオンフィルムを得ることができる。従って、液晶テレビにおいてＸ側及びＹ側の配線基板の端子数が変わった場合には、上記の入力端子の数が異なるいずれか一方のチップオンフィルムを選択使用して対処することができる。
【００１１】
そして、本発明のＣＯＦテープにおいて、横二列に形成された入力端子列のうち、ＩＣチップに近い方の入力端子列の端子数を、ＩＣチップから遠い方の入力端子列の端子数よりも多くしたものは、ＩＣチップに近い方の入力端子列の端子を経由して、ＩＣチップから遠い方の入力端子列の全ての端子に配線することができ、ＩＣチップから遠い方の入力端子列の端子に対して、ＩＣチップから配線用の導電パターンを、近い方の入力端子列の端子相互間を通して設ける必要がなくなるので、配線がし易くなる。もし、ＩＣチップに近い方の入力端子列の端子数の方が遠い方の入力端子列の端子数より少ない場合は、ＩＣチップに近い方の入力端子列の端子を経由して遠い方の入力端子列の一部の端子に配線することはできるけれども、残りの端子に対しては、ＩＣチップから配線用の導電パターンを近い方の入力端子列の端子相互間に通して直接結線する必要があるので、配線が面倒になる。
【００１２】
また、本発明のＣＯＦテープにおいて、更に出力端子列も横二列に形成したものや、横二列に形成された出力端子列のうち、ＩＣチップに近い方の出力端子列の端子数を、ＩＣチップから遠い方の出力端子列の端子数よりも多くしたものについても、打抜き型による打抜き領域を変えるだけで、種々の態様のチップオンフィルムを得ることができるが、これについては、後で詳しく説明する。
【発明を実施するための最良の形態】
【００１３】
以下、図面を参照して本発明の具体的な実施形態を詳述する。
【００１４】
図１は本発明の最も基本的な一実施形態（最も基本的な実施形態）に係るＣＯＦテープの部分平面図、図２の（ａ）、（ｂ）は同ＣＯＦテープを打抜いて得られる２種類のチップオンテープの平面図、図３は同ＣＯＦテープの部分断面図である。
【００１５】
このＣＯＦテープは、図１に示すように、両側端に送り孔が形成された長尺のテープ基材１に多数のＩＣチップ２を一定間隔をあけて搭載すると共に、各ＩＣチップ２の前側と後側に横二列の入力端子列３０，３１と横一列の出力端子列４０を形成して導電パターン５で配線することにより、チップオンフィルムの構成単位Ａが前後方向（長さ方向）に連続して形成されたものである。
【００１６】
横二列に形成された入力端子列３０，３１は、いずれも同数の入力端子３ａを同一ピッチで横（左右）に並べて形成した同一の端子列であり、出力端子列４０は出力端子４ａを並べて横一列に形成した端子列である。横二列に形成された入力端子列３０，３１のうち、ＩＣチップ２から遠い方の入力端子列３０の入力端子３ａは、配線用の導電パターンでＩＣチップ２と直接結線されてなく、ＩＣチップ２に近い方の入力端子列３１の入力端子３ａを経由して結線されている。
【００１７】
上記テープ基材１はポリイミドなどの電気絶縁性の合成樹脂フィルムからなるもので、図３に示すように、このテープ基材１の上には配線用の上記導電パターン５が形成されており、この導電パターン５にはソースドライバＩＣやゲートドライバＩＣなどの上記ＩＣチップ２が搭載されている。そして、導電パターン５が形成されたテープ基材１の上面は、ＩＣチップ搭載部分を除いて上記と同様の電気絶縁性の合成樹脂被覆フィルム１ａで被覆され、導電パターン５に形成された入力端子３ａと出力端子４ａの部分だけが合成樹脂被覆フィルム１ａの開口部から露出している。
【００１８】
このＣＯＦテープは、上記のようにチップオンフィルムの構成単位Ａにおいて横二列に入力端子列３０，３１が形成されているため、打抜き型で打ち抜く領域を変更することによって、２種類のチップオンフィルムを得ることができる。
【００１９】
即ち、図１において囲み線Ｌ１で囲まれる領域、つまり、横二列の入力端子列３０，３１と、ＩＣチップ２と、横一列の出力端子列４０が含まれる構成単位Ａの全領域を打抜き型で打抜けば、図２の（ａ）に示すような前後方向の長さ（図面では上下方向の長さ）が大きいチップオンフィルムＣＯＦを得ることができ、図１において囲み線Ｌ２で囲まれる領域、つまり、入力端子列３０を除外して、入力端子列３１と、ＩＣチップ２と、出力端子４０が含まれる領域を、打抜き型を変更して打抜けば、図２の（ｂ）に示すような前後方向の長さが短いチップオンフィルムＣＯＦを得ることができる。
【００２０】
従って、チップオンフィルムを介して液晶パネルとＸ側及びＹ側のプリント配線基板を接続する場合、液晶パネルの電極とＸ側及びＹ側の配線基板の電極との距離が変わっても、上記の長さが異なるいずれか一方のチップオンフィルムＣＯＦを選択使用して対処することが可能となる。このように打抜き型を換えて打抜き領域を変更すると、打抜き型の交換が簡単かつ安価であるため、従来のように新たに設計してＣＯＦテープを造り直す場合に比べて対応が遥かに容易であり、短納期及びコスト削減を達成することができる。
【００２１】
図４は本発明の他の実施形態に係るＣＯＦテープの部分平面図、図５の（ａ）、（ｂ）は同ＣＯＦテープを打抜いて得られる２種類のチップオンテープの平面図である。
【００２２】
図４に示すＣＯＦテープは、各ＩＣチップ２の前側（図では上側）に横二列に形成された入力端子列３２，３１の入力端子３ａの数が異なっており、ＩＣチップ２に近い方の入力端子列３１の端子数が、遠い方の入力端子列３２の端子数よりも多くなっている。そして、この遠い方の入力端子列３２の各端子３ａは、導電パターンでＩＣチップ２と直接結線されてなく、ＩＣチップ２に近い方の入力端子列３１の入力端子３ａを経由して導電パターンで結線されている。
【００２３】
このＣＯＦテープの他の構成は、前述した図１のＣＯＦテープと同様であるので、重複する説明は省略する。
【００２４】
このＣＯＦテープも、打抜き型で打抜く領域を変更することによって、２種類のチップオンフィルムを得ることができる。即ち、図４において囲み線Ｌ１で囲まれる領域、つまり、横二列の入力端子列３２，３１と、ＩＣチップ２と、横一列の出力端子列４０が含まれる構成単位Ａの全領域を打抜き型で打抜けば、図５の（ａ）に示すように、前後方向の長さ（図面では上下方向の長さ）が大きく、且つ、入力端子列３２の入力端子３ａの数が少ないチップオンフィルムＣＯＦを得ることができる。そして、図４において囲み線Ｌ２で囲まれる領域、つまり、入力端子列３２を除外して、入力端子列３１と、ＩＣチップ２と、出力端子４０が含まれる領域を、打抜き型を変更して打抜けば、図５の（ｂ）に示すように、前後方向の長さが短く、且つ、入力端子列３２の入力端子３ａの数が少ないチップオンフィルムＣＯＦを得ることができる。従って、例えば、液晶テレビにおいてＸ側及びＹ側の配線基板の端子数が変わり、液晶セルと配線基板の電極間の距離が変わった場合には、上記のような長さと入力端子の数が異なるチップオンフィルムを選択使用して対処することができる。
【００２５】
ところで、本発明のＣＯＦテープにおいては、横二列に形成された入力端子列のうち、ＩＣチップ２に近い方の入力端子列の端子数を、遠い方の入力端子列の端子数より少なくしても勿論よい。しかしながら、その場合は、ＩＣチップに近い方の入力端子列の端子を経由して遠い方の入力端子列の一部の端子には配線することはできるけれども、残りの端子に対しては、ＩＣチップから配線用の導電パターンを近い方の入力端子列の端子相互間に通して直接結線することが必要になり、配線が面倒になるので、上記の図４のＣＯＦテープのように、ＩＣチップ２に近い方の入力端子列３１の端子数を、遠い方の入力端子列３２の端子数よりも多くすることが好ましい。
【００２６】
図６は本発明の更に他の実施形態に係るＣＯＦテープの部分平面図、図７の（ａ）、（ｂ）、（ｃ）、（ｄ）は同ＣＯＦテープを打抜いて得られる４種類のチップオンテープの平面図である。
【００２７】
このＣＯＦテープは、ＩＣチップ２の前側に横二列の入力端子列３２，３１を設けて、ＩＣチップ２に近い方の入力端子列３１の入力端子３ａの数を、遠い方の入力端子列３２の入力端子の数よりも多くする一方、ＩＣチップ２の後側に横二列の出力端子列４０，４１を設けて、双方の出力端子列４０，４１の出力端子４ａの数を同一にしている。そして、ＩＣチップ２から遠い方の入力端子列３２の入力端子３２には、近い方の入力端子列３１の入力端子３ａを経由して導電パターン５で配線し、ＩＣチップ２から遠い方の出力端子列４０の出力端子４ａには、近い方の出力端子列４１の入力端子４ａを経由して導電パターン５で配線している。このＣＯＦテープの他の構成は、前述した図１のＣＯＦテープと同様であるので、重複する説明は省略する。
【００２８】
このＣＯＦテープは、打抜き型で打抜く領域を変更することによって、４種類のチップオンフィルムを得ることができる。即ち、図６において囲み線Ｌ１で囲まれる領域、つまり、横二列の入力端子列３２，３１と、ＩＣチップ２と、横二列の出力端子列４０，４１が含まれる構成単位Ａの全領域を打抜き型で打抜けば、図７の（ａ）に示すように、前後方向の長さ（図面では上下方向の長さ）が大きくて、入力端子列３２の入力端子３ａの数が少なく、出力端子列４０の出力端子４ａの数が多いチップオンフィルムＣＯＦを得ることができる。
【００２９】
そして、図６において囲み線Ｌ３で囲まれる領域、つまり、横二列の入力端子列３１，３２と、ＩＣチップ２と、ＩＣチップ２に近い方の出力端子列４１が含まれる領域を、打抜き型を変更して打抜けば、図７の（ｂ）に示すように、前後方向の長さが短くて、入力端子列３２の入力端子３ａの数が少なく、出力端子列４１の出力端子４ａの数が多いチップオンフィルムＣＯＦを得ることができる。
【００３０】
また、図６において囲み線Ｌ２で囲まれる領域、つまり、ＩＣチップ２に近い方の入力端子列３１と、ＩＣチップ２と、横二列の出力端子列４０，４１が含まれる領域を、打抜き型を変更して打抜けば、図７の（ｃ）に示すように、前後方向の長さが短くて、入力端子列３１の入力端子３ａの数が多く、出力端子列４０の出力端子４ａの数が多いチップオンフィルムＣＯＦを得ることができる。
【００３１】
更に、図６において囲み線Ｌ４で囲まれる領域、つまり、ＩＣチップ２に近い方の入力端子列３１と、ＩＣチップ２と、入力端子２に近い方の出力端子列４１が含まれる領域を、打抜き型を変更して打抜けば、図７の（ｄ）に示すように、前後方向の長さが更に短くて、入力端子列３１の入力端子３ａの数も出力端子列４１の出力端子４ａの数も多いチップオンフィルムＣＯＦを得ることができる。
【００３２】
このＣＯＦテープは、上記のように長さや入力端子の数や出力端子の数が異なる４種類のチップオンフィルムを得ることができるので、液晶テレビにおいてＸ側及びＹ側の配線基板の端子数や液晶セルの端子数が変わり、液晶セルと配線基板の電極間の距離が変わった場合に、より適切、多様に対処することができる。
【００３３】
図８は本発明の更に他の実施形態に係るＣＯＦテープの部分平面図、図９の（ａ）、（ｂ）、（ｃ）、（ｄ）は同ＣＯＦテープを打抜いて得られる４種類のチップオンテープの平面図である。
【００３４】
このＣＯＦテープは、ＩＣチップ２の前側に横二列の入力端子列３２，３１を設けて、ＩＣチップ２に近い方の入力端子列３１の入力端子３ａの数を、遠い方の入力端子列３２の入力端子の数よりも多くすると共に、ＩＣチップ２の後側に横二列の出力端子列４１，４２を設けて、ＩＣチップ２に近い方の出力端子列４１の出力端子４ａの数を、遠い方の出力端子列４２の出力端子４ａの数よりも多くしている。そして、ＩＣチップ２から遠い方の入力端子列３２の入力端子３２には、近い方の入力端子列３１の入力端子３ａを経由して導電パターン５で配線し、ＩＣチップ２から遠い方の出力端子列４２の出力端子４ａには、近い方の出力端子列４１の入力端子４ａを経由して導電パターン５で配線している。このＣＯＦテープの他の構成は、前述した図１のＣＯＦテープと同様であるので、重複する説明は省略する。
【００３５】
このＣＯＦテープは、打抜き型で打抜く領域を変更することによって、４種類のチップオンフィルムを得ることができる。即ち、図８において囲み線Ｌ１で囲まれる領域、つまり、横二列の入力端子列３２，３１と、ＩＣチップ２と、横二列の出力端子列４１，４２が含まれる構成単位Ａの全領域を打抜き型で打抜けば、図９の（ａ）に示すように、前後方向の長さ（図面では上下方向の長さ）が大きくて、入力端子列３２の入力端子３ａの数と出力端子列４２の出力端子４ａの数が少ないチップオンフィルムＣＯＦを得ることができる。
【００３６】
そして、図８において囲み線Ｌ３で囲まれる領域、つまり、横二列の入力端子列３１，３２と、ＩＣチップ２と、ＩＣチップ２に近い方の出力端子列４１が含まれる領域を、打抜き型を変更して打抜けば、図９の（ｂ）に示すように、前後方向の長さが短くて、入力端子列３２の入力端子３ａの数が少なく、出力端子列４１の出力端子４ａの数が多いチップオンフィルムＣＯＦを得ることができる。
【００３７】
また、図８において囲み線Ｌ２で囲まれる領域、つまり、ＩＣチップ２に近い方の入力端子列３１と、ＩＣチップ２と、横二列の出力端子列４１，４２が含まれる領域を、打抜き型を変更して打抜けば、図９の（ｃ）に示すように、前後方向の長さが短くて、入力端子列３１の入力端子３ａの数が多く、出力端子列４２の出力端子４ａの数が少ないチップオンフィルムＣＯＦを得ることができる。
【００３８】
更に、図８において囲み線Ｌ４で囲まれる領域、つまり、ＩＣチップ２に近い方の入力端子列３１と、ＩＣチップ２と、入力端子２に近い方の出力端子列４１が含まれる領域を、打抜き型を変更して打抜けば、図９の（ｄ）に示すように、前後方向の長さが更に短く、入力端子列３１の入力端子３ａの数も出力端子列４１の出力端子４ａの数も多いチップオンフィルムＣＯＦを得ることができる。
【００３９】
このＣＯＦテープも、上記のように長さや入力端子の数や出力端子の数が異なる４種類のチップオンフィルムを得ることができるので、液晶テレビにおいてＸ側及びＹ側の配線基板の端子数や液晶セルの端子数が変わり、液晶セルと配線基板の電極間の距離が変わった場合に、より適切、多様に対処することができる。
【００４０】
尚、図６，図８に示すＣＯＦテープにおいて、ＩＣチップ２に近い方の入力端子列３１の端子数を、遠い方の入力端子列３２の端子数よりも少なくしたり、図８に示すＣＯＦテープにおいて、ＩＣチップ２に近い方の出力端子列４１の端子数を、遠い方の出力端子列４２の端子数より少なくしても勿論よい。
【図面の簡単な説明】
【００４１】
【図１】本発明の一実施形態（最も基本的な実施形態）に係るＣＯＦテープの部分平面図である。
【図２】（ａ）、（ｂ）は同ＣＯＦテープを打抜いて得られる２種類のチップオンテープの平面図である。
【図３】同ＣＯＦテープの部分断面図である。
【図４】本発明の他の実施形態に係るＣＯＦテープの部分平面図である。
【図５】（ａ）、（ｂ）は同ＣＯＦテープを打抜いて得られる２種類のチップオンテープの平面図である。
【図６】本発明の更に他の実施形態に係るＣＯＦテープの部分平面図である。
【図７】（ａ）、（ｂ）、（ｃ）、（ｄ）は同ＣＯＦテープを打抜いて得られる４種類のチップオンテープの平面図である。
【図８】本発明の更に他の実施形態に係るＣＯＦテープの部分平面図である。
【図９】（ａ）、（ｂ）、（ｃ）、（ｄ）は同ＣＯＦテープを打抜いて得られる４種類のチップオンテープの平面図である。
【符号の説明】
【００４２】
１    テープ基材
１ａ  合成樹脂被覆フィルム
２    ＩＣチップ
３ａ  入力端子
３０，３１，３２  入力端子列
４ａ  出力端子
４０，４１，４２  出力端子列
５    導電パターン
Ａ    チップオンフィルムの構成単位
【図１】
2009289844.tif 000003
【図２】
2009289844.tif 000004
【図３】
2009289844.tif 000005
【図４】
2009289844.tif 000006
【図５】
2009289844.tif 000007
【図６】
2009289844.tif 000008
【図７】
2009289844.tif 000009
【図８】
2009289844.tif 000010
【図９】
2009289844.tif 000011